(57)【要約】【課題】落下強度を確保しつつ、内周及び内周にカム溝を有するカム筒枠の筒の厚みをより薄くする。【解決手段】  レンズ鏡筒９００は、回転枠２３０、レンズ群枠１２０、シャッター枠２７０を備える。第１回転枠は、内周の第１カム溝２３１と、径方向から見て第１カム溝２３１と交差する外周の第２カム溝２３２を有する。第１レンズ群枠の第１カムフォロア２７１は第１カム溝に係合し、シャッター枠２７０の第２カムフォロア１２１は第２カム溝に契合する。第１回転枠径方向の寸法が、第１及び第２カム溝の深さの和よりも短い。第１回転枠には内周側から厚み方向に、第１カム溝のみがある領域Ｗ１、第１及び第２カムがある領域Ｗ０、及び第２カム溝のみがある領域Ｗ２を有する。第１及び第２のカムフォロアの位置が周方向に異なる。第１及び第２のカムフォロアの少なくとも一方は、領域Ｗ０において、対応するカム溝の溝壁と接触しない非接触部２７９を備える。【選択図】図６
2014160242.tif 000002
【特許請求の範囲】
【請求項１】
内周に設けられた第１のカム溝と、径方向から見て前記第１のカム溝と交差するように外周に設けられた第２のカム溝とを有するカム筒枠と、
前記カム筒枠の内周側に配置され、前記第１のカム溝に係合された第１のカムフォロアを有する第１の移動枠と、
前記カム筒枠の外周側に配置され、前記第２のカム溝に係合された第２のカムフォロアを有する第２の移動枠と
を備え、
前記カム筒枠の径方向の寸法が、前記第１のカム溝と前記第２のカム溝の深さの和よりも短いことで、前記カム筒枠は、内周側から厚み方向に順に配置された、前記第１のカム溝のみが形成された第１領域と、前記第１及び第２のカムが形成されたオーバーラップ領域と、前記第２のカム溝のみが形成された第２領域とを有し、
前記第１のカムフォロアの位置と前記第２のカムフォロアの位置が周方向に異なっている、レンズ鏡筒。
【請求項２】
前記第１及び第２のカムフォロアの少なくとも一方は、前記オーバーラップ領域において、対応する前記カム溝の溝壁と接触しない非接触部を備える、請求項１に記載のレンズ鏡筒。
【請求項３】
前記第１のカムフォロアが前記非接触部を備える、請求項２に記載のレンズ鏡筒。
【請求項４】
前記第２のカムフォロアは、前記第２領域と前記オーバーラップ領域の境界において前記第２のカム溝の溝壁と当接する当接部を備える、請求項３に記載のレンズ鏡筒。
【請求項５】
前記第１のカムフォロアは、前記第１の移動枠側から径方向に順に、
前記第１のカム溝に向けて突出する突出部と、
前記第１領域において前記第１のカム溝の前記溝壁と接触する接触部と、
前記非接触部と
を有する、請求項２に記載のレンズ鏡筒。
【請求項６】
前記非接触部は、前記第１の移動枠側から径方向に順に、
前記第１領域と前記オーバーラップ領域の境界において前記第１のカム溝の前記溝壁から離れるように延びるつなぎ部と、
前記第１のカム溝の前記溝壁から離れた位置に配置される逃げ部と
を有する、請求項５に記載のレンズ鏡筒。
【請求項７】
前記つなぎ部、前記接触部、前記逃げ部の順で前記径方向を基準とした斜度が大きい、請求項６に記載のレンズ鏡筒。
【請求項８】
前記つなぎ部は、前記径方向を基準とした斜度を有する、請求項６に記載のレンズ鏡筒。
【請求項９】
前記第２領域、前記第１領域、前記オーバーラップ領域の順で領域の幅が大きい、請求項２に記載のレンズ鏡筒。
【請求項１０】
前記第１及び第２のカムフォロアのうちの一方が、径方向から見て前記第１のカム溝と前記第２のカム溝が交差する交差部に位置するときに、前記第１及び第２のカムフォロアのうち他方が前記交差部以外に位置するように、前記第１のカム溝内での前記第１のカムフォロアの移動の位相と前記第２のカム溝内での前記第２のカムフォロアの移動の位相とを互いにずらしている、請求項２に記載のレンズ鏡筒。
【請求項１１】
前記交差部に前記カム筒枠の前記内周から前記外周まで貫通する貫通穴が形成されている、請求項１０に記載のレンズ鏡筒。
【請求項１２】
前記第１の移動枠はシャッター枠であり、第２の移動枠は最も被写体側に位置するレンズ群を有するレンズ群枠である、請求項２に記載のレンズ鏡筒。
【発明の詳細な説明】
【技術分野】
【０００１】
本開示は、レンズ鏡筒に関する。
【背景技術】
【０００２】
特許文献１及び特許文献２には、内周部及び外周部にカム溝を有するカム筒部を備えるレンズ鏡筒が開示されている。
【先行技術文献】
【特許文献】
【０００３】
【特許文献１】特開２００３−６６３０８号公報
【特許文献２】特開２０１０−１５６８７０号公報
【発明の概要】
【発明が解決しようとする課題】
【０００４】
本開示は、レンズ鏡筒の落下等の原因によるカムフォロアのカム溝からの脱落の防止ないし抑制を確保しつつ、内周及び外周にカム溝を有するカム筒枠の厚みをより薄くすることを目的とする。
【課題を解決するための手段】
【０００５】
本開示に係るレンズ鏡筒は、内周に設けられた第１のカム溝と、径方向から見て前記第１のカム溝と交差するように外周に設けられた第２のカム溝とを有するカム筒枠と、前記カム筒枠の内周側に配置され、前記第１のカム溝に係合された第１のカムフォロアを有する第１の移動枠と、前記カム筒枠の外周側に配置され、前記第２のカム溝に係合された第２のカムフォロアを有する第２の移動枠とを備える。前記カム筒枠の径方向の寸法が、前記第１のカム溝と前記第２のカム溝の深さの和よりも短いことで、前記カム筒枠は、内周側から厚み方向に順に配置された、前記第１のカム溝のみが形成された第１領域と、前記第１及び第２のカムが形成されたオーバーラップ領域と、前記第２のカム溝のみが形成された第２領域とを有する。前記第１のカムフォロアの位置と前記第２のカムフォロアの位置が周方向に異なっている。前記第１及び第２のカムフォロアの少なくとも一方は、前記オーバーラップ領域において、対応する前記カム溝を画定する溝壁と接触しない非接触部を備える。
【発明の効果】
【０００６】
本開示によれば、レンズ鏡筒の落下等の原因によるカムフォロアのカム溝からの脱落の防止ないし抑制（落下強度）を確保しつつ、内周及び外周にカム溝を有するカム筒枠の厚みをより薄くすることができる。
【図面の簡単な説明】
【０００７】
【図１】レンズ鏡筒の斜視図。
【図２】レンズ鏡筒の分解斜視図。
【図３】沈胴状態のレンズ鏡筒の模式的な断面図。
【図４】広角状態のレンズ鏡筒の模式的な断面図。
【図５】望遠状態のレンズ鏡筒の模式的な断面図。
【図６】図４の領域Ｘの拡大図。
【図７】図６の領域Ｙの拡大図。
【図８】第１回転枠の外周の展開図。
【図９】図８の部分拡大図。
【図１０】図９のＡ−Ａ線での断面図。
【図１１】図９のＢ−Ｂ線での断面図。
【図１２】図９のＡ−Ａ線での断面において金型により成形されるカム筒枠の形状を説明するための模式図。
【図１３】図９のＢ−Ｂ線での断面において金型により成形されるカム筒枠の形状を説明するための模式図。
【図１４】金型の模式図。
【発明を実施するための形態】
【０００８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
出願人は、当業者が本開示を十分に理解するために添付図面及び以下の説明を提供するのであって、これらによって特許請求の範囲に記載の主題を限定することを意図するものではない。
【００１０】
以下の実施の形態では、デジタルスチルカメラに設けられるレンズ鏡筒を例に挙げて説明する。しかし、本開示は、デジタルカメラに限定されず、フィルムカメラ、ビデオカメラを含む、携帯カメラ、車載カメラ、プロジェクターのレンズ鏡筒に適用できる。
【００１１】
［１．レンズ鏡筒９００の概要構成］
図１及び図２を参照すると、レンズ鏡筒９００は、第１レンズユニット１００と、第２レンズユニット２００と、第３レンズユニット３００と、撮像ユニット４００とを備える。符号ＡＸは、レンズ鏡筒９００の光軸である。
【００１２】
以下の説明では、光軸ＡＸに平行な方向を光軸方向といい、光軸ＡＸに対して垂直な方向を径方向という。光軸ＡＸを中心とする円に沿った方向を周方向という。さらに、光軸方向の被写体側を前側又は正面側といい、光軸方向の非被写体側（後述する撮像素子部４６０側）を後側又は背面側という。「カム機構」という用語は、関連する２個の要素のうち、一方がカムを備え、他方がカムフォロアを備える場合をいう。「回転規制機構」という用語は、関連する２個の要素が、光軸方向に相対的に直進移動は可能であるが、周方向の相対的な回転が不能に連結されている場合をいう。「直進規制機構」という用語は、関連する２個の要素が、周方向に相対的に回転可能であるが、光軸方向の相対的な移動が不能に連結されている場合をいう。
【００１３】
第１レンズユニット１００は、第１化粧枠１１０と、第１レンズ群Ｌ１を有する第１レンズ群枠１２０とを備える。
【００１４】
第２レンズユニット２００は、第２化粧枠２１０と、第１直進枠２２０と、第１回転枠（カム筒枠）２３０と、第２レンズ群Ｌ２を有する第２レンズ群枠（第２の移動枠）２４０と、第２直進枠２５０と、第３レンズ群Ｌ３を有する第３レンズ群枠２６０と、シャッター枠（第１の移動枠）２７０とを備える。
【００１５】
第３レンズユニット３００は、第３化粧枠３１０と、第３直進枠３２０と、第２回転枠３３０とを備える。
【００１６】
撮像ユニット４００は、ズームモータユニット４１０が設けられた固定枠４２０と、第４レンズ群Ｌ４を有する第４レンズ群枠４３０と、フォーカスモータユニット４４０が設けられたマスターフランジ４５０と、撮像素子部４６０とを備える。
【００１７】
固定枠４２０の径方向内側に第３直進枠３２０が配置されている。第３直進枠３２０の径方向内側に第２回転枠３３０が配置されている。
【００１８】
第２回転枠３３０のギア部３３１は、ズームモータユニット４１０に噛合される。第２回転枠３３０は、固定枠４２０とカム機構により係合されている。従って、第２回転枠３３０は、ズームモータユニット４１０の駆動力によって周方向に回転しながら光軸方向に移動可能である。
【００１９】
第３直進枠３２０は、固定枠４２０と回転規制機構により係合されている。第３直進枠３２０は、第２回転枠３３０と直進規制機構により係合されている。従って、第３直進枠３２０は、第２回転枠３３０と共に光軸方向に移動可能であるが、周方向に回転しない。
【００２０】
第１直進枠２２０は、第２回転枠３３０の径方向内側に配置されている。第１直進枠２２０は、第２回転枠３３０とカム機構により係合され、かつ第３直進枠３２０と回転規制機構により係合されている。従って、第１直進枠２２０は、第２回転枠３３０の回転に応じて、光軸方向に移動可能であるが、周方向に回転しない。
【００２１】
第１回転枠２３０は、第１直進枠２２０の径方向内側に配置されている。第１回転枠２３０は、第２回転枠３３０と回転規制機構により係合されている。また、第１回転枠２３０は、第１直進枠２２０と直進規制機構により係合されている。従って、第１回転枠２３０は、第２回転枠３３０と共に周方向に回転しながら、第１直進枠２２０と共に光軸方向に移動可能である。
【００２２】
第２直進枠２５０は、第１回転枠２３０の径方向内側に配置されている。第２直進枠２５０は、第１直進枠２２０と回転規制機構により係止されている。また、第２直進枠２５０は、第１回転枠２３０と直進規制機構により係合されている。従って、第２直進枠２５０は、第１回転枠２３０と共に光軸方向に移動可能であるが、周方向に回転しない。
【００２３】
第１レンズ群枠１２０は、第１回転枠２３０の径方向外側、かつ第１直進枠２２０の径方向内側に配置されている。第１レンズ群枠１２０は、第１直進枠２２０と回転規制機構により係合されている。また、第１レンズ群枠１２０は、第１回転枠２３０とカム機構により係合されている。後に詳述するように、このカム機構は、第１レンズ群枠１２０の第２カムフォロア１２１と、第１回転枠２３０の第２カム溝２３２とを備える。第１レンズ群枠１２０は、第１回転枠２３０の回転に応じて光軸方向に移動可能であるが、周方向に回転しない。第１レンズ群枠１２０は、シャッター枠２７０に対して相対的に被写体側に配置されている。
【００２４】
第２レンズ群枠２４０は、第１回転枠２３０の径方向内側（第２直進枠２５０の径方向内側）に配置されている。第２レンズ群枠２４０は、第２直進枠２５０と回転規制機構により係合されている。また、第２レンズ群枠２４０は、第１回転枠２３０とカム機構により係合されている。従って、第２レンズ群枠２４０は、第１回転枠２３０の回転に応じて光軸方向に移動可能であるが、周方向に回転しない。
【００２５】
シャッター枠２７０は、第１回転枠２３０の径方向内側（第２直進枠２５０の径方向内側）に配置されている。シャッター枠２７０は、第２直進枠２５０と回転規制機構により係合されている。また、シャッター枠２７０は、第１回転枠２３０とカム機構により係合されている。後に詳述するように、このカム機構は、シャッター枠２７０の第１カムフォロア２７１と、第１回転枠２３０の第１カム溝２３１とを備える。シャッター枠２７０は、第１回転枠２３０の回転に応じて光軸方向に移動可能であるが、周方向に回転しない。シャッター枠２７０は、第１レンズ群枠１２０に対して相対的に後側ないし非被写体側（像側）に配置されている。
【００２６】
シャッター枠２７０には、第３レンズ群枠２６０が装着されている。シャッター枠２７０が第２直進枠２５０に対して光軸方向に直進すると、第３レンズ群枠２６０の退避レンズ枠が、図示しない退避機構によって回動させられる。これにより、沈胴状態から撮影可能状態に移行する際には、退避レンズ枠は、退避位置から補正可能位置へと移動する。また、撮影可能状態から沈胴状態に移行する際には、退避レンズ枠は、補正可能位置から退避位置へと移動する。退避レンズ枠が補正可能位置に配置された場合、第３レンズ群Ｌ３は、光軸ＡＸと垂直な面内で移動可能である。すなわち、この状態では、像ぶれ補正が可能である。
【００２７】
ズームモータユニット４１０の駆動力による第２回転枠３３０及び第１回転枠２３０の回転によって、直進枠２２０，３２０，２５０及びレンズ群枠１２０，２４０，２６０の移動が実現されている。そのため、図３から図５に示すように、第１レンズユニット１００、第２レンズユニット２００、及び第３レンズユニット３００は、固定枠４２０から光軸方向に３段に繰り出される。図３は沈胴状態（収容状態）を示す。構成部品間の係合により、レンズ鏡筒９００は、図３の状態から図４の広角状態に変化する。また、構成部品間の係合関係により、レンズ鏡筒９００は、図４の状態から図５の望遠状態に変化する。
［２．第１回転枠２３０、シャッター枠２７０、及び第１レンズ群の構成］
【００２８】
図３から図６（特に図６）、図８、及び図９を参照すると、第１回転枠２３０（両面カム筒枠）には、内周及び外周の両面にカム溝が形成されている。具体的には、第１回転枠２３０の内周面２３０ａには、第１カム溝２３１が形成されている。また、第１回転枠２３０の外周面２３０ｂには、第２カム溝２３２が形成されている。
【００２９】
図６及び図７を参照すると、第１カム溝２３１は、底壁２３１ａと、底壁２３１ａから第１回転枠２３０の内周面２３０ａに向けて延びる互いに対向する一対の側壁２３１ｂにより画定される。同様に、第２カム溝２３２は、底壁２３２ａと、底壁２３２ａから第１回転枠２３０の外周面２３０ｂに向けて延びる互いに対向する一対の側壁２３２ｂにより画定される。後に詳述するように、第１回転枠２３０はインジェクション成形される。インジェクション成形における金型作動時のアンダーカット回避のため、側壁２３１ｂと側壁２３２ｂは、径方向に対して斜度を有する。
【００３０】
図８に示すように、第１回転枠２３０の内周面２３０ａには、周方向に等間隔に配置された３個の第１カム溝２３１が設けられている。また、第１回転枠２３０の外周面２３０ｂには、周方向に等間隔に配置された３個の第２カム溝２３２が配置されている。径方向から見ると個々の第１カム溝２３１は１個の第２カム溝２３２と交差している。
【００３１】
図３から図７（特に図６及び図７）を参照すると、前述のように、第１回転枠２３０の内側には、シャッター枠２７０が配置される。シャッター枠２７０の外周には、第１カムフォロア２７１が備えられている。第１カムフォロア２７１は、第１カム溝２３１と係合されている。また、シャッター枠２７０は、第２直進枠２５０と回転規制機構により係合されている。そのため、シャッター枠２７０は、第１回転枠２３０が回転することに伴い、第１カムフォロア２７１が第１カム溝２３１内を移動することによって、光軸ＡＸ方向に相対的に移動する。
【００３２】
図３から図６（特に図６）を参照すると、前述のように、第１回転枠２３０の外側には、第１レンズ群枠１２０が配置される。第１レンズ群枠１２０の内周には、第２カムフォロア１２１が備えられている。第２カムフォロア１２１は、第２カム溝２３２と係合されている。また、第１レンズ群枠１２０は、第１直進枠２２０と回転規制機構により係合されている。そのため、第１レンズ群枠１２０は、第１回転枠２３０が回転することに伴い、第２カムフォロア１２１が第２カム溝２３２内を移動することによって、光軸ＡＸ方向に相対的に移動する。
【００３３】
図６を参照すると、第１回転枠２３０の径方向の厚みＴは、第１カム溝２３１の深さＤ１と第２カム溝２３２の深さＤ２の和よりも短い。つまり、第１回転枠２３０の厚みＴと第１及び第２カム溝２３１，２３２の深さＤ１，Ｄ２は、以下の式（１）の関係を満たす。
【００３４】
【数１】
2014160242.tif 000003
【００３５】
第１回転枠２３０の厚みＴと第１及び第２カム溝２３１，２３２の深さＤ１，Ｄ２を式（１）のように設定することにより、第１回転枠２３０の径方向において、第１カム溝２３１と第２カム溝２３２がオーバーラップしている。つまり、第１回転枠２３０には、内周面２３０ａから外周面２３０ｂに向けて径方向に、第１カム溝２３１のみが形成される第１領域Ｗ１、第１カム溝２３１と第２カム溝２３２の両方が形成されたオーバーラップ領域Ｗ０、及び第２カム溝２３２のみが形成された第２領域Ｗ２が存在する。
図６のように、径方向において第１カムフォロア２７１、及び第２カムフォロア１２１もオーバーラップしている。すなわち、オーバーラップ領域Ｗ０には、第１カムフォロア２７１、及び第２カムフォロア１２１の両方が存在することになる。
【００３６】
図６に図示された幾何学的関係から明らかなように、第１領域Ｗ１、オーバーラップ領域Ｗ０、及び第２領域Ｗ２の径方向の寸法と、第１及び第２カム溝２３１，２３２の深さＤ１，Ｄ２について以下の式（２）の関係が成り立つ。
【００３７】
【数２】
2014160242.tif 000004
【００３８】
第１回転枠２３０の厚みＴと第１及び第２カム溝２３１，２３２の深さＤ１，Ｄ２を式（１）のように設定し、式（２）の関係を満たすオーバーラップ領域Ｗ０を設けることで、レンズ鏡筒の落下等の原因による第１及び第２カムフォロア２７１，１２１の第１及び第２カム溝２３１，２３２からの脱落の防止ないし抑制（落下強度）を確保しつつ、第１回転枠２３０の厚みＴをより薄くでき、レンズ鏡筒９００全体の径を小さくできる。具体的には、第１回転枠２３０の厚みＴが同じであるという条件下では、オーバーラップ領域Ｗ０を設けた方がオーバーラップ領域Ｗ０を設けない場合よりも、第１及び第２カム溝２３１，２３２の深さＤ１，Ｄ２をより深く設定できる。また、第１及び第２カム溝２３１，２３２の深さＤ１，Ｄ２が同じであるという条件下では、オーバーラップ領域Ｗ０を設けた方がオーバーラップ領域Ｗ０を設けない場合よりも、第１回転枠２３０の径方向の厚みＴをより薄くできる。言い換えれば、オーバーラップ領域Ｗ０を設けることで、２つの相反的な要求、すなわち第１及び第２カム溝２３１，２３２の深さＤ１，Ｄ２を深くすることと、第１回転枠２３０の厚みＴを薄くすることとの両方を充足できる。
【００３９】
図８及び図９に示すように、径方向から見ると、第１カム溝２３１と第２カム溝２３２は交差している。第１カム溝２３１と第２カム溝２３２の交差部を符号２３３で示す。一方、前述のように、第１回転枠２３０には、第１カム溝２３１と第２カム溝２３２の両方が形成された厚み方向のオーバーラップ領域Ｗ０が設けられている。そのため、図１０及び図１１に示すように、交差部２３３では、第１カム溝２３１と第２カム溝２３２が連通している。言い換えれば、交差部２３３では第１回転枠２３０の内周面２３０ａから外周面２３０ｂまで貫通する貫通穴２３４が形成されている。
【００４０】
図９から図１１を参照すれば明らかなように、第１及び第２カム溝２３１，２３２に沿って移動する第１及び第２カムフォロア２７１，１２１が、仮に同じタイミングで交差部２３３（前述のように貫通穴２３４が形成されている）に到達すると、オーバーラップ領域Ｗ０には、図６のように、第１及び第２カムフォロア２７１，１２１の両方が存在しているので、第１カムフォロア２７１と第２カムフォロア１２１が干渉ないし衝突することになる。図９に示すように、この衝突を回避するために、第１カム溝内２３１での第１カムフォロア２７１の移動の位相と、第２カム溝２３２内での第２カムフォロア１２１の移動の位相の間にずれαを設けている。言い換えると、第１カム溝内２３１での第１カムフォロア２７１の移動の角度範囲と、第２カム溝２３２内での第２カムフォロア１２１の移動の角度範囲の間にずれαを設けている。ここで言う角度とは、光軸ＡＸ方向から見て、第１回転枠２３０の円筒面上に形成されたカム溝の各位置から光軸ＡＸに引いた線どうしの角度のことである。更に、第１カムフォロア２７１の位置と第２カムフォロア１２１の位置が周方向、すなわち光軸ＡＸを中心とする円に沿った方向、に異なっている。第１カムフォロア２７１の位置と第２カムフォロア１２１の位置が周方向にαずれている、とも言える。図９において、符号βは第１カム溝内２３１での第１カムフォロア２７１の移動角度範囲を示し、符号γは第２カム溝２３２内での第２カムフォロア１２１の移動角度範囲を示す。位相のずれαを設けたことで、第１及び第２カムフォロア２７１，１２１のうちの一方が、交差部２３３に到達したとき、第１及び第２のカムフォロア２７１，１２１のうち他方は交差部２３３以外の位置に存在する。従って、交差部２３３における第１カムフォロア２７１と第２カムフォロア１２１の衝突は起こらない。ずれαを第１カムフォロア２７１の中心と第２カムフォロア１２１の中心との距離とすると、ずれαは、第１カムフォロア２７１の半径と第２カムフォロア１２１の半径の和以上あればよい。さらに言うと、ずれαは、オーバーラップ領域Ｗ０における第１カムフォロア２７１の半径とオーバーラップ領域Ｗ０における第２カムフォロア１２１の半径の和以上あればよい。
【００４１】
図６を参照すると、本実施の形態では、第２カム溝２３２の深さＤ２を第１カム溝２３１の深さＤ１よりも深く設定している。つまり、深さＤ１，Ｄ２には以下の式（３）の関係がある。
【００４２】
【数３】
2014160242.tif 000005
【００４３】
式（３）に式（２）を代入すれば、以下の式（４）が得られる。つまり、第１領域Ｗ１よりも第２領域Ｗ２の径方向の長さが長い。この式（４）の関係は、式（３）と図６に図示された幾何学的関係からも明らかである。
【００４４】
【数４】
2014160242.tif 000006
【００４５】
式（３）のように第２カム溝２３２の深さＤ２を第１カム溝２３１の深さＤ１よりも深く設定することで、レンズ鏡筒９００の落下強度を保つことができる。図４及び図５を参照すれば明らかなように、レンズ鏡筒９００が非沈胴状態のとき、第１レンズ群枠１２０が最も前側ないし被写体側に配置される。そのため、レンズ鏡筒９００を有するデジタルスチルカメラを第１レンズ群Ｌ１が下向きとなる方向に落下等した場合、第１レンズ群枠１２０から地上に落下することとなる。その場合、第１レンズ群枠１２０にはデジタルスチルカメラ全体の重量が掛かる。また、第１レンズ群Ｌ１を有する第１レンズ群枠１２０の重量は、レンズを有しないシャッター枠２７０の重量よりも重い。そのため、落下時には、シャッター枠２７０よりも第１レンズ群枠１２０側に大きな力が作用する。本実施の形態では、第１カム溝２３１の深さＤ１よりも第２カム溝２３２の深さＤ２を深くしているので、落下時における第１レンズ群枠１２０の第１回転枠２３０からの脱落をより効果的に防止ないし抑制できる。
【００４６】
レンズ鏡筒９００の落下時に第１カムフォロア２７１と第２カムフォロア１２１が落下時に外れないための、第１回転枠２３０の径方向の厚みＴの最小値（最小厚み）をＴminとする。また、レンズ鏡筒９００の落下時に第１カムフォロア２７１が外れないための、第１カム溝２３１の深さＤ１の最小値（最小深さ）をＤ１minとする。さらに、レンズ鏡筒９００の落下時に第２カムフォロア１２１が外れないための、第２カム溝２３２の深さＤ２の最小値（最小深さ）をＤ２minとする。また、第１領域Ｗ１の最小値をＷ１minとする。第１領域Ｗ１は後述する第１カムフォロア２７１の接触部２７６の径方向接触幅Ｃ（図７参照）を含む。径方向接触幅Ｃが最小のときに第１領域Ｗ１は最小値Ｗ１minとなる。最小値Ｗ１minは、第１カムフォロア２７１が外れないための寸法ではなく、落下時の径方向接触幅Ｃ部の打痕等の破壊や摺動時の径方向接触幅Ｃ部の磨耗等破壊等が起こらないための、最小値とする。最小値Ｗ１minは、種々の要素に依存し、これらの要素の組み合わせにより数値は異なる。これらの要素は、落下時にレンズ鏡筒９００に作用する衝撃力、レンズ鏡筒９００が落下する方向、シャッター枠２７０の総重量、シャッター枠２７０や第１回転枠２３０の剛性、シャッター枠２７０や第１回転枠２３０の寸法誤差、必要とされるズームや沈胴の動作回数、動作をさせる時のレンズ鏡筒９００の姿勢、シャッター枠２７０や第１回転枠２３０の材料の磨耗し易さ、第１カム溝２３１又は第１カムフォロア２７１のガタ、第１カム溝２３１又は第１カムフォロア２７１の斜度、及び第１カム溝２３１と第１カムフォロア２７１の接触部の摩擦係数、面粗さ、潤滑剤種類等の摩擦潤滑状態等を含む。
【００４７】
第１カム溝２３１の最小深さＤ１minとは、レンズ鏡筒９００落下時に、シャッター枠２７０に掛かる光軸方向力が、第１カムフォロア２７１の光軸と直交方向内側に抜ける力に変換され、第１カム溝２３１と第１カムフォロア２７１の係合が外れてしまわないための、第１カム溝２３１と第１カムフォロア２７１の光軸と直交方向におけるオーバーラップ量の最小値のことである。落下時に外れない最小深さＤ１minは、種々の要素に依存し、これらの要素の組み合わせにより数値は異なる。これらの要素は、落下時にレンズ鏡筒９００に作用する衝撃力、レンズ鏡筒９００が落下する方向、シャッター枠２７０の総重量、シャッター枠２７０や第１回転枠２３０の剛性、シャッター枠２７０や第１回転枠２３０の寸法誤差、第１カム溝２３１と第１カムフォロア２７１のガタ、第１カム溝２３１又は第１カムフォロア２７１の斜度、及び第１カム溝２３１と第１カムフォロア２７１の接触部の摩擦状態等を含む。シャッター枠２７０に作用する光軸方向力が第１カムフォロア２７１の光軸と直交方向内側に抜ける力に変換されるのは、前述したようにインジェクション成形時のアンダーカット回避のために第１カム溝２３１の側壁２３１ｂが斜度を有し、後述するように第１カムフォロア２７１も対応する斜度を有するためである。以上は、第２カム溝２３２の最小深さＤ２minについても同様である。落下時に外れない最小深さＤ２minは、種々の要素に依存し、これらの要素の組み合わせにより数値は異なる。これらの要素は、落下時にレンズ鏡筒９００に作用する衝撃力、レンズ鏡筒９００が落下する方向、第１レンズ群枠１２０の総重量、デジタルスチルカメラ全体の重量、第１レンズ群枠１２０や第１回転枠２３０の剛性、第１レンズ群枠１２０や第１回転枠２３０の寸法誤差、必要とされるズームや沈胴の動作回数、動作をさせる時のレンズ鏡筒９００の姿勢、第１レンズ群枠１２０や第１回転枠２３０の材料の磨耗し易さ、第２カム溝２３２と第２カムフォロア１２１のガタ、第２カム溝２３２又は第２カムフォロア１２１の斜度、及び第２カム溝２３２と第２カムフォロア１２１の接触部の摩擦係数、面粗さ、潤滑剤種類等の摩擦潤滑状態等を含む。
【００４８】
本実施の形態では、第１回転枠２３０の径方向の厚みＴを最小厚みＴminに設定し、第１及び第２カム溝２３１，２３２の深さＤ１，Ｄ２を最小深さＤ１min，Ｄ２minに設定している。このとき、図６に図示された幾何学的関係から明らかなように、最小厚みＴmin、第１領域Ｗ１の最小値Ｗ１min、及び最小深さＤ２minは、以下の式（５）の関係を満たす。
【００４９】
【数５】
2014160242.tif 000007
【００５０】
式（５）のように構成することで、第１回転枠２３０径方向の厚みＴを最小化し、レンズ鏡筒９００全体の径方向の寸法を小さくできる。
【００５１】
図６に図示された幾何学的関係から明らかなように、最小厚みＴminは、最小深さＤ１min，Ｄ２minよりも大きい必要がある。また、第２カム溝２３１の深さＤ２minは第２カム溝２３１の深さＤ１minよりも大きい必要がある（式（３））。従って、以下の最小厚みＴminと最小深さＤ１min，Ｄ２minについて以下の式（６）の関係が成立する必要がある。
【００５２】
【数６】
2014160242.tif 000008
【００５３】
第１回転枠２３０の最小厚みＴminは、第１領域Ｗ１の最小値Ｗ１minと第２領域Ｗ２の最小値Ｗ２minを確保するように設定する必要がある。図６に図示された幾何学的関係から明らかなように、第２カム溝２３２の最小深さＤ２minについて以下の式（７）の関係が成立する。
【００５４】
【数７】
2014160242.tif 000009
【００５５】
第２カム溝２３２の最小深さＤ２minには、第２領域Ｗ２の最小値Ｗ２minが含まれている（Ｄ２min＝Ｗ０min+Ｗ２min）。従って、式（５）を満たせば、最小厚みＴminが第１領域Ｗ１の最小値Ｗ１minと第２領域Ｗ２の最小値Ｗ２minを確保するという条件は満たされる。式（５）に式（７）を代入すれば以下の式（８）が得られる。式（８）では、最小厚みＴminは、第１領域Ｗ１の最小値Ｗ１min、第２領域Ｗ２の最小値Ｗ２minで表される。
【００５６】
【数８】
2014160242.tif 000010
【００５７】
次に、第１回転枠２３０に形成される可能性があるバリＧ（図７参照）について説明する。
【００５８】
第１回転枠２３０は、樹脂材料のインジェクション成形で形成される。図１２から図１４は、第１回転枠２３０のインジェクション成形のための内側金型７００と外側金型８００を模式的に示している。内側金型７００は第１回転枠２３０の内側に配置され、外側金型８００は第１回転枠２３０の外側に配置される。
【００５９】
内側金型７００は、第１回転枠２３０の内周面２３０ａを形成するための主面７００ａを備える。この主面７００ａから第１カム溝２３１を形成するための突部７００ｂが突出している。突部７００ｂは頂面７００ｃと一対の斜面７００ｄを備える。突部７００ｂの高さ、すなわち主面７００ａから頂面７００ｃまでの径方向の距離は、第１カム溝２３１の深さＤ１に設定されている。
【００６０】
外側金型８００は、第１回転枠の外周面２３０ｂを形成するための主面８００ａを備える。この主面８００ａから第２カム溝２３２を形成するための突部８００ｂが突出している。突部８００ｂは頂面８００ｃと一対の斜面８００ｄを備える。突部８００ｂの高さ、すなわち主面８００ａから頂面８００ｃまでの径方向の距離は、第２カム溝２３２の深さＤ２に設定されている。
【００６１】
前述のように、第１回転枠２３０には、第１カム溝２３１と第２カム溝２３２の両方が形成されたオーバーラップ領域Ｗ０がある。そのため、内側金型７００と外側金型８００の第１カム溝２３１と第２カム溝２３２の交差部２３３（図８及び図９参照）に相当する部分、すなわち径方向から見て内側金型７００と外側金型８００の突部７００ｂ，８００ｂが交差する部分（図１４参照）では、これらの突部７００ｂ，８００ｂのうち一方を他方に対して逃がす必要がある。言い換えれば、交差部２３３に相当する部分で突部７００ｂ，８００ｂを嵌合させる必要がある。本実施例では、突部７００ｂ，８００ｂのうち一方を他方に対して逃がす構成としているが、もちろん突部７００ｂ，８００ｂの両方が互いに逃げる構造としてもよい。
【００６２】
図１４に最も明瞭に示すように、交差部２３３に相当する部分において、内側金型７００の突部７００ｂに凹状の逃げ部７００ｅを設けている。逃げ部７００ｅは底面７００ｆと底面から突部７００ｂの頂面７００ｃへ延びる一対の斜面７００ｇを備える。斜面７００ｇは径方向に対して斜度を有する。斜面７００ｇの斜度は外側金型８００の突部８００ｂの斜面８００ｄの斜度と同じである。前述のように突部７００ｂの高さは第２カム溝２３２の深さＤ２であるのに対し、逃げ部７００ｅの底面７００ｆの位置、つまり突部７００ｂの頂面７００ｃから逃げ部７００ｅの底面７００ｆまでの距離はオーバーラップ領域Ｗ０の長さに設定されている。言い換えれば、逃げ部７００ｅの底面７００ｆはオーバーラップ領域Ｗ０と第１領域Ｗ１の境界に相当する。
【００６３】
内側金型７００の突部７００ｂに形成された逃げ部７００ｅに、外側金型８００の突部８００ｂの一部が嵌合される（図１４において符号６００で概念的に示す嵌合部）。そのため、第１回転枠２３０には第１カム溝２３１と第２カム溝２３２の交差部２３３に貫通穴２３４（図１０及び図１１参照）が形成される。
【００６４】
内側金型７００と外側金型８００の嵌合部６００では、金型合わせ面が形成される。つまり、逃げ部７００ｅの底面７００ｆと外側金型８００の突部８００ｂの頂面８００ｃが密接し、逃げ部７００ｅの斜面７００ｇと外側金型８００の突部８００ｂの斜面８００ｄが密接する。このパーティングライン（Ｐ．Ｌ．）から金型合わせ面に沿って、第１カム溝２３１と第２カム溝２３２の交差部２３３に樹脂材料が進入し、例えば図７において符号Ｇで示すようなバリが形成される可能性がある。特に、図１４において符号６０１で示す稜線がＰ．Ｌ．となっており、この稜線６０１の位置、つまり逃げ部７００ｅの底面７００ｆと、突部７００ｂの斜面７００ｄと、が交わる稜線、逃げ部７００ｅの斜面７００ｇと、突部７００ｂの斜面７００ｄと、が交わる稜線において、交差部２３３に樹脂材料が進入する可能性がある。言い換えると、底面７００ｆと斜面７００ｄとの稜線の位置にできるＰ．Ｌ．と、斜面７００ｇと斜面７００ｄとの稜線の位置にできるＰ．Ｌ．から交差部２３３に樹脂材料が進入する可能性がある。合流点６０１を形成する面の一つである逃げ部７００ｅの底面７００ｆは、前述のようにオーバーラップ領域Ｗ０と第１領域Ｗ１の境界に対応する。従って、第１領域Ｗ１とオーバーラップ領域Ｗ０の境界からオーバーラップ領域Ｗ０にかけてバリＧが形成される可能性がある。
【００６５】
内側金型７００と外側金型８００の嵌合部６００における金型合わせ面からの樹脂材料の進入は、図１４において矢印Ｙ１で示す方向で生じやすい。この矢印Ｙ１で示す樹脂材料の進入方向は、図７及び図１０において矢印Ｙ２で示す第１カム溝２３１を横切る方向に対応する。従って、バリＧは第１カム溝２３１の側壁２３１ｂから第１カム溝２３１を横切る方向（矢印Ｙ２）に突出するように形成される可能性がある。また、樹脂材料の進入方向（矢印Ｙ１）は、図１０において矢印Ｙ３で示す第２カム溝２３２が延びる方向に対応する。従って、バリＧは第２カム溝２３２の側壁２３２ｂから第２カム溝２３２を横切る方向に突出することはない。内側金型７００と外側金型８００の嵌合部６００における金型合わせ面として、逃げ部７００ｅの底面７００ｆと外側金型８００の突部８００ｂの頂面８００ｃが密接し、逃げ部７００ｅの斜面７００ｇと外側金型８００の突部８００ｂの斜面８００ｄが密接する。この場合、外側金型８００側には、内側金型７００の逃げ部７００ｅに相当する逃げ部は存在せず、従って、外側金型８００の突部８００ｂは第２カム溝２３２と同じ形状となっている。金型合わせ面は、外側金型８００の突部８００ｂに沿って、すなわち第２カム溝２３２形状に沿って形成される。外側金型８００の突部８００ｂを横切る、すなわち第２カム溝２３２形状を横切る、金型合わせ面は存在しない。バリＧは、金型合わせ面に沿って形成されるため、結果、第２カム溝２３２形状を横切るバリＧは、存在しないこととなる。
【００６６】
以上のように、第１カム溝２３１及び第２カム溝２３２をオーバーラップさせたことにより、第１回転枠２３０の成形時にバリＧが形成される可能性がある。また、図７に示すように、第１カム溝２３１の第２カム溝２３２の交差部２３３では、第１領域Ｗ１とオーバーラップ領域Ｗ０の境界で第１カム溝２３１の側壁２３１ｂから第１カム溝２３１を横切る方向、すなわち第２カム溝２３２が延びる方向、に突出するバリＧが形成される可能性がある。
【００６７】
次に、第１カムフォロア２７１について説明する。
【００６８】
図７を参照すると、第１カムフォロア２７１は、第１回転枠２３０の内周側から順に、突出部２７５、接触部２７６、つなぎ部２７７、及び逃げ部２７８を備える。つなぎ部２７７、及び逃げ部２７８は第１カム溝２３１の側壁２３１ｂと接触しない非接触部２７９を構成している。
【００６９】
突出部２７５は、基端がシャッター枠２７０に固定され、先端は第１カム溝２３１まで伸びている。本実施の形態では、突出部２７５は円筒状ないし円柱状である。突出部２７５は第１カム溝２３１の側壁２３１ｂから離れて接触しないように、形状及び寸法が設定されている。
【００７０】
接触部２７６は、基端が突出部２７５に接続され、先端がつなぎ部２７７に接続されている。本実施の形態では、接触部２７６は基端側から先端側に向けて径が減少する円錐台状である。接触部２７６は、第１領域Ｗ１において第１カム溝２３１の側壁２３１ｂと当接ないし接触する寸法及び形状を有する。接触部２７６は、シャッター枠２７０と第１回転枠２３０が相対移動すると、第１カム溝２３１の側壁２３１ｂに接触した状態で第１カム溝２３１の軌跡上を移動する。
【００７１】
接触部２７６が第１カム溝２３１の側壁２３１ｂと接触する径方向の寸法（径方向接触幅Ｃ）は、第１カム溝２３１と第１カムフォロア２７１の接触部の打痕等の破壊や摺動時の磨耗等破壊等を回避するように設定される。径方向接触幅Ｃは、種々の要素に依存し、これら要素の組み合わせにより数値は異なる。これらの要素は、落下時にレンズ鏡筒９００に作用する衝撃力、レンズ鏡筒９００が落下する方向、シャッター枠２７０や第１回転枠２３０の剛性、必要とされるズームや沈胴の動作回数、動作をさせる時のレンズ鏡筒９００の姿勢、シャッター枠２７０の総重量、シャッター枠２７０や第１回転枠２３０の材料の磨耗し易さ、シャッター枠２７０や第１回転枠２３０の寸法誤差、第１カム溝２３１又は第１カムフォロア２７１のガタ、第１カム溝２３１又は第１カムフォロア２７１の斜度、及び、第１カム溝２３１と第１カムフォロア２７１の接触部の摩擦係数、面粗さ、潤滑剤種類等の摩擦潤滑状態等を含む。
【００７２】
つなぎ部２７７は、基端が接触部２７６に接続され、先端が逃げ部２７８に接続されている。本実施の形態では、つなぎ部２７７は基端側から先端側に向けて径が減少する円錐台状であり、第１領域Ｗ１において、第１カム溝２３１の側壁２３１ｂから離れるような形状を有する。
【００７３】
逃げ部２７８は、基端がつなぎ部２７７に接続され、第１カムフォロア２７１の最先端部を構成する。本実施の形態では、逃げ部２７８は基端側から先端側に向けて径が減少する円錐台状である。逃げ部２７８は、第１カム溝２３１の側壁２３１ｂから離れて接触しないように形状及び寸法が設定されている。
【００７４】
図７に図示されているように、第１カムフォロア２７１は、径方向において、落下時に第１カム溝２３１から脱落しない係合代を確保する為、第１領域Ｗ１とオーバーラップ領域Ｗ０の境界を横切るように構成されている。一方、前述のように、第１領域Ｗ１とオーバーラップ領域Ｗ０の境界からオーバーラップ領域Ｗ０にかけて第１カム溝２３１の側壁２３１ｂから第１カム溝２３１を横切る方向に突出するバリＧが形成される可能性がある。仮に第１カムフォロア２７１の全体が第１カム溝２３１に接触していると、第１カム溝２３１に沿って移動中の第１カムフォロア２７１がバリＧと接触してしまい、第１カムフォロア２７１がより精度の高い軌跡を描けない可能性がある。そこで、本実施の形態では、第１カムフォロア２７１の形状及び寸法を、第１領域Ｗ１とオーバーラップ領域Ｗ０の境界からオーバーラップ領域Ｗ０に向かって第１カム溝２３１と接触しないような設定している。つまり、前述のように、第１カムフォロア２７１の先端側には、第１領域Ｗ１において第１カム溝２３１側壁２３１ｂから離れるつなぎ部２７７と、第１カム溝２３１の側壁２３１ｂに接触しない逃げ部２７８とが設けられている。第１カムフォロア２７１をかかる形状とすることで、第１カム溝２３１に対する第１カムフォロア２７１の移動軌跡や位置に誤差が生じることを防止ないし抑制できる。
【００７５】
図７に示すように、接触部２７６の斜度Ｒ１、つなぎ部２７７の斜度Ｒ２、逃げ部２７８の斜度Ｒ３は、以下の式（９）を満たすように設定されている。これらの斜度Ｒ１，Ｒ２，Ｒ３は径方向（光軸ＡＸに対して直交する方向）を基準としている。
【００７６】
【数９】
2014160242.tif 000011
【００７７】
式（９）のように斜度Ｒ１，Ｒ２，Ｒ３設定することで、接触部２７６よりも先端側の部分、すなわちつなぎ部２７７及び逃げ部２７８を第１カム溝２３１の側壁２３１ｂから離すことができる。その結果、バリＧに第１カムフォロア２７１が接触して、第１カム溝２３１に対する第１カムフォロア２７１の移動軌跡や位置に誤差ができることを防止ないし抑制できる。かかる第１カムフォロア２７１の移動精度向上は、第１カムフォロア２７１を有するシャッター枠２７０、更にはシャッター枠２７０に搭載された第３レンズ群枠２６０の作動不良はもちろん、移動精度や位置精度の劣化と振動の発生を抑制でき、ズーム作動不良低減、光学性能低下抑制、及び動画撮影時の像ゆれ低減に有効である。
【００７８】
図７を参照すると、非接触部２７９は、レンズ鏡筒９００落下時に、第１カムフォロア２７１の内周側への変形によりシャッター枠２７０が第１回転枠２３０から脱落しそうになった場合に第１カム溝２３１の縁と接触してそれを阻止できる。つなぎ部２７７は、レンズ鏡筒９００落下時に、非接触部２７９が第１カム溝２３１の縁と接触して脱落を阻止した後、第１カムフォロア２７１を第１カム溝２３１戻すような傾斜を有することが好ましい。例えば、つなぎ部２７７の斜度Ｒ２は４５度以下で接触部２７６と逃げ部２７８の間を連続的につなぐことが好ましいが、これに限定されない。つなぎ部２７７は接触部２７６と逃げ部２７８の間を段差なく、角をなくし、なだらかにつなげばよい。シャッター枠２７０が第１回転枠２３０から脱落しそうになった場合に、シャッター枠２７０と第１回転枠２３０の弾性によって働く径方向の力によって元の状態、すなわち、第１カム溝２３１に第１カムフォロア２７１が元の位置に嵌った状態、に復元できるかどうかで、斜度Ｒ２は決定される。シャッター枠２７０の総重量、シャッター枠２７０や第１回転枠２３０の剛性、および、第１カム溝２３１と第１カムフォロア２７１の接触部の摩擦状態により必要な斜度Ｒ２は異なる。これは、シャッター枠２７０が第１回転枠２３０から外れそうになった場合、第１カムフォロア２７１が第１回転枠２３０の内周面に乗り上げて引っ掛かってしまうのを防止ないし抑制するためである。
【００７９】
図７を参照すると、逃げ部２７８の斜度Ｒ３は接触部２７６の斜度Ｒ１と同じ、または、斜度Ｒ１より小さいことが好ましい。本実施の形態では、第１カム溝２３１の斜度は接触部２７６の斜度Ｒ１とほぼ同じであり、逃げ部２７８の斜度Ｒ３の斜度が第１カム溝２３１の斜度とほぼ同じか小さい。これは、第１カムフォロア２７１の第１カム溝２３１からの脱落を防止ないし低減できるからである。つまり、シャッター枠２７０が第１回転枠２３０から脱落しそうになった場合、第１カムフォロア２７１が第１カム溝２３１から抜け出る直前に、斜度Ｒ３を有する逃げ部２７８の最先端の角部が第１カム溝２３１の側壁２３１ｂと接触する。そして、この接触は第１カム溝２３１から脱落する方向への第１カムフォロア２７１の変位に対する大きな抵抗となり得る。
【００８０】
次に、第２カムフォロア１２１について説明する。
【００８１】
図６を参照すると、第２カムフォロア１２１は、第１回転枠２３０の外周側から順に突出部１２５と接触部１２６とを備える。
【００８２】
突出部１２５は基端が第１レンズ群枠１２０に固定され、先端は第２カム溝２３２まで伸びている。本実施の形態では、突出部１２５は円筒状ないし円柱状である。突出部１２５は第２カム溝２３２の側壁２３２ｂから離れて接触しないように、形状及び寸法が設定されている。
【００８３】
接触部１２６は、基端が突出部１２５に接続され、第２カムフォロア１２１の最先端部を構成する。本実施の形態では、接触部１２６は基端側から先端側に向けて径が減少する円錐台状である。接触部１２６は、第２領域Ｗ２及びオーバーラップ領域Ｗ０において第２カム溝２３２の側壁２３２ｂと当接ないし接触する寸法及び形状を有する。
【００８４】
前述のように、バリＧ（図７参照）は、第２カム溝２３２が延びる方向（図１０の矢印Ｙ３）に形成される。バリＧが第２カム溝２３２を横切る方向に突出する可能性は少ない。従って、第１カムフォロア２７１の接触部２７６とは異なり、第２カムフォロア１２１の接触部１２６はバリＧとの接触回避を考慮する必要が少なく、前述のように第２領域Ｗ２及びオーバーラップ領域Ｗ０にわたって形成できる。その結果、第２カムフォロア１２１は第２カム溝２３２の側壁２３２ｂと接触面積を十分に確保でき、より精度の高い軌跡を描くことができる。また、接触部の落下時の破壊や脱落や接触部の摺動時の磨耗等を抑制できる。
【００８５】
以上のように、本実施の形態によれば、レンズ鏡筒９００の落下等の原因による第１及び第２カムフォロア２７１，１２１の第１及び第２カム溝２３１，２３２からの脱落の防止ないし抑制（落下強度）を確保しつつ、内周に第１カム溝２３１を有し、外周に第２カム溝２３２を有する第１回転枠２３０の厚みをより薄くすることができる。
【００８６】
本開示では、第１領域Ｗ１とオーバーラップ領域Ｗ０の境界からオーバーラップ領域Ｗ０にかけてバリが発生しても良いように金型を構成した。これは、落下時にシャッター枠２７０よりも第１レンズ群枠１２０側に大きな力が発生する可能性が高いためである。つまり、落下した際、シャッター枠２７０よりも第１レンズ群枠１２０に大きな力がかかる。従って、第１レンズ群枠１２０が外れてしまう可能性が高く、シャッター枠２７０が外れる可能性は低い。本開示では、シャッター枠２７０側の第１カムフォロア２７１に第１カム溝２３１のバリをよける形状を設けていても、第１カムフォロア２７１の第１カム溝２３１に対する径方向掛かり代は必要量確保されているので、バリをよける形状が無い場合に比べて、特に第１カムフォロア２７１が外れやすいことはない。よって、本開示のように特に落下時に外れ難いシャッター枠２７０側にバリをよける形状の第１カム溝２３１と第１カムフォロア２７１を採用する必要は必ずしもない。しかし、本開示のようにシャッター枠２７０側にバリをよける形状を採用することで、レンズ鏡筒９００の落下強度を更に向上させることができる。また、外側金型８００に逃げ部を設け、第２カムフォロア１２１に本開示における第１カムフォロア２７１の構造を採用してもよい。また、内側金型７００の突部７００ｂ、外側金型８００の突部８００ｂの両方が互いに逃げる構造としてもよい。この場合、第２カムフォロア１２１にもつなぎ部、逃げ部を備えれば、落下強度を確保しつつ、第１回転枠２３０の厚みをより薄くすることができる。
【００８７】
以上のように、例示として、実施の形態を説明した。しかしながら、本開示は、これに限定されず、適宜、変更、置き換え、付加、省略などを行った実施の形態にも適用可能である。また、実施の形態で説明した各構成要素を組み合わせて、新たな実施の形態とすることも可能である。
【００８８】
以上のように、添付図面および詳細な説明によって、出願人がベストモードと考える実施の形態と他の実施の形態とを提供した。これらは、特定の実施の形態を参照することにより、当業者に対して、特許請求の範囲に記載の主題を例示するために提供されるものである。従って、添付図面および詳細な説明に記載された構成要素の中には、課題解決のために必須な構成要素だけでなく、それ以外の構成要素も含まれ得る。そのため、それらの必須ではない構成要素が添付図面や詳細な説明に記載されているからといって、直ちにそれらの必須ではない構成要素が必須であるとの認定を受けるべきではない。また、特許請求の範囲またはその均等の範囲において、上述の実施の形態に対して、種々の変更、置き換え、付加、省略などを行うことができる。
【符号の説明】
【００８９】
１００  第１レンズユニット
１２０  第１レンズ群枠
１２１  第２カムフォロア
１２５  突出部
１２６  接触部
２００  第２レンズユニット
２３０  第１回転枠
２３０ａ  内周面
２３０ｂ  外周面
２３１  第１カム溝
２３２  第２カム溝
２３３  交差部
２３４  貫通穴
２７０  シャッター枠
２７１  第１カムフォロア
２７５  突出部
２７６  接触部
２７７  つなぎ部
２７８  逃げ部
２７９  非接触部
３００  第３レンズユニット
４００  撮像ユニット
６００  嵌合部
６０１  合流点
７００  内側金型
７００ａ  主面
７００ｂ  突部
７００ｃ  頂面
７００ｄ  斜面
７００ｅ  逃げ部
７００ｆ  底面
７００ｇ  斜面
８００  外側金型
８００ａ  主面
８００ｂ  突部
８００ｃ  頂面
８００ｄ  斜面
９００  レンズ鏡筒
Ｃ  径方向接触幅
Ｗ１  第１領域
Ｗ０  オーバーラップ領域
Ｗ２  第２領域
Ｇ  バリ
【図１】
2014160242.tif 000012
【図２】
2014160242.tif 000013
【図３】
2014160242.tif 000014
【図４】
2014160242.tif 000015
【図５】
2014160242.tif 000016
【図６】
2014160242.tif 000017
【図７】
2014160242.tif 000018
【図８】
2014160242.tif 000019
【図９】
2014160242.tif 000020
【図１０】
2014160242.tif 000021
【図１１】
2014160242.tif 000022
【図１２】
2014160242.tif 000023
【図１３】
2014160242.tif 000024
【図１４】
2014160242.tif 000025